(57)【要約】【課題】  オペレータ（聴覚、視覚に障害を持っているオペレータでも）が、誤って、またはまったく気付くことなくＨＤＤアクセスの電源オフ操作を行ってしまう事態を防止することが可能な電子機器を提供する。【解決手段】  ハードディスク１を搭載し、強制的に電源供給を絶つことが可能なメインスイッチ４を装備した電子機器において、メインスイッチ４に内蔵された振動子３と、メインスイッチ４を開閉するメインスイッチカバー６と、メインスイッチカバー６の開閉を検知する開閉検知センサ５と、開閉検知センサ５からの開閉検知信号（開放検知信号）によりメインスイッチカバー６が開放されたことを検知して振動子３を駆動する振動オン信号を出力するシステムコントローラ７とを備えた。【選択図】        図１
2005092536.tif 000002
【特許請求の範囲】
【請求項１】
ハードディスクを搭載し、強制的に電源供給を絶つことが可能なメインスイッチを装備した電子機器において、メインスイッチを振動させる振動子と、メインスイッチを開閉するメインスイッチカバーと、メインスイッチカバーの開閉を検知する開閉検知センサと、開閉検知センサからの開放検知信号によりメインスイッチカバーが開放されたことを検知して振動子を駆動する振動オン信号を出力するシステムコントローラとを備えたことを特徴とする電子機器。
【請求項２】
ハードディスクを搭載し、強制的に電源供給を絶つことが可能なメインスイッチを装備した電子機器において、メインスイッチとしてタッチセンサ付きメインスイッチを設け、かつタッチセンサ付きメインスイッチを振動させる振動子を備え、タッチセンサ付きメインスイッチから出力されるタッチセンサ信号によりタッチセンサ付きメインスイッチに手が触れたことを検知して振動子を駆動する振動オン信号を出力するシステムコントローラを備えたことを特徴とする電子機器。
【請求項３】
ハードディスクを搭載し、強制的に電源供給を絶つことが可能なメインスイッチを装備した電子機器において、メインスイッチを振動させる振動子と、メインスイッチ近傍あるいはメインスイッチに内蔵して設けられた赤外線センサと、赤外線センサからの検知信号によりメインスイッチに手が触れたあるいは近付いたことを検知して振動子を駆動する振動オン信号を出力するシステムコントローラとを備えたことを特徴とする電子機器。
【請求項４】
ハードディスクを搭載し、強制的に電源供給を絶つことが可能なメインスイッチを装備した電子機器において、ファンモータと、メインスイッチを開閉するメインスイッチカバーと、メインスイッチカバーの開閉を検知する開閉検知センサと、開閉検知センサからの開放検知信号によりメインスイッチカバーが開放されたことを検知してファンモータを駆動するファンモータ駆動オン信号を出力するシステムコントローラとを備えたことを特徴とする電子機器。
【請求項５】
ハードディスクを搭載し、強制的に電源供給を絶つことが可能なメインスイッチを装備した電子機器において、メインスイッチとしてタッチセンサ付きメインスイッチを設け、ファンモータと、タッチセンサ付きメインスイッチから出力されるタッチセンサ信号によりタッチセンサ付きメインスイッチに手が触れたことを検知してファンモータを駆動するファンモータ駆動オン信号を出力するシステムコントローラとを備えたことを特徴とする電子機器。
【発明の詳細な説明】
【技術分野】
【０００１】
本発明は、ハードディスクを搭載した電子機器に関し、特にハードディスクアクセス中の電源断の防止技術に関するものである。
【背景技術】
【０００２】
ハードディスク（ＨＤＤ）を搭載した電子機器において、ＨＤＤアクセス中の電源オフが原因と推定される不具合が発生している。この対策として、ＨＤＤアクセス中に誤って、または気付かないうちに電源オフされないような技術が提案されている。
例えば、ＨＤＤアクセス中に誤って電源をオフしないよう、ＨＤＤアクセス中を示すＬＥＤを点灯表示するのもその一例である。また、強制的に電源オフするようなメカスイッチ（完全に電源の供給を遮断するようなスイッチ）を設けず、ソフト的な制御以外には電源をオフすることができない（制御信号により、オン・オフ制御するスイッチ）ソフトスイッチもその一例である。またＨＤＤアクセス中に電源オフするようなメカスイッチに触れた場合に、ブザー等でユーザーに知らせるのも一例である。
【発明の開示】
【発明が解決しようとする課題】
【０００３】
しかし、例えばＨＤＤアクセス中を示すＬＥＤを設ける方式においては、オペレータがＬＥＤの表示に気付かない場合、ＨＤＤのアクセス中に電源をオフしてしまう可能性があり、課題に対して有効な効果が得られていない。また、同様にソフトスイッチを設ける方式においては、ソフトの暴走等、システムの異常な状態での制御に問題があり、電源オフしたいときに電源オフできないことがある。また、安全上も問題がある。またメカスイッチに触れた場合にブザー等で知らせる方式においては、聴覚に障害を持ったユーザーは、ＨＤＤのアクセス中に電源をオフしてしまう可能性がある。
本発明は、オペレータ（聴覚、視覚に障害を持っているオペレータでも）が、誤って、またはまったく気付くことなくＨＤＤアクセスの電源オフ操作を行ってしまう事態を防止することが可能な電子機器を提供することを目的とする。
【課題を解決するための手段】
【０００４】
上記目的を達成するために、請求項１記載の発明は、ハードディスクを搭載し、強制的に電源供給を絶つことが可能なメインスイッチを装備した電子機器において、メインスイッチに内蔵された振動子と、メインスイッチを開閉するメインスイッチカバーと、メインスイッチカバーの開閉を検知する開閉検知センサと、開閉検知センサからの開放検知信号によりメインスイッチカバーが開放されたことを検知して振動子を駆動する振動オン信号を出力するシステムコントローラとを備えた電子機器を最も主要な特徴とする。
請求項２記載の発明は、ハードディスクを搭載し、強制的に電源供給を絶つことが可能なメインスイッチを装備した電子機器において、メインスイッチとしてタッチセンサ付きメインスイッチを設け、かつタッチセンサ付きメインスイッチに振動子を内蔵し、タッチセンサ付きメインスイッチから出力されるタッチセンサ信号によりタッチセンサ付きメインスイッチに手が触れたことを検知して振動子を駆動する振動オン信号を出力するシステムコントローラを備えた電子機器を最も主要な特徴とする。
請求項３記載の発明は、ハードディスクを搭載し、強制的に電源供給を絶つことが可能なメインスイッチを装備した電子機器において、メインスイッチに内蔵された振動子と、メインスイッチ近傍あるいはメインスイッチに内蔵して設けられた赤外線センサと、赤外線センサからの検知信号によりメインスイッチに手が触れたあるいは近付いたことを検知して振動子を駆動する振動オン信号を出力するシステムコントローラとを備えた電子機器を最も主要な特徴とする。
請求項４記載の発明は、ハードディスクを搭載し、強制的に電源供給を絶つことが可能なメインスイッチを装備した電子機器において、ファンモータと、メインスイッチを開閉するメインスイッチカバーと、メインスイッチカバーの開閉を検知する開閉検知センサと、開閉検知センサからの開放検知信号によりメインスイッチカバーが開放されたことを検知してファンモータを駆動するファンモータ駆動オン信号を出力するシステムコントローラとを備えた電子機器を最も主要な特徴とする。
請求項５記載の発明は、ハードディスクを搭載し、強制的に電源供給を絶つことが可能なメインスイッチを装備した電子機器において、メインスイッチとしてタッチセンサ付きメインスイッチを設け、ファンモータと、タッチセンサ付きメインスイッチから出力されるタッチセンサ信号によりタッチセンサ付きメインスイッチに手が触れたことを検知してファンモータを駆動するファンモータ駆動オン信号を出力するシステムコントローラとを備えた電子機器を最も主要な特徴とする。
【発明の効果】
【０００５】
請求項１ないし５の発明により、ＨＤＤアクセス中にメインスイッチを操作することによる不用意なシステム電源のオフを防止することが可能になるため、ＨＤＤの破壊・データ消失を未然に回避することができる。
【発明を実施するための最良の形態】
【０００６】
以下、本発明の実施の形態を図面に従って説明する。
図１は本発明の第１の実施形態に係る電子機器のブロック図、図２は図１に示すメインスイッチの構成図である。
本電子機器は、ハードディスク装置（ＨＤＤ）１、電源装置２、振動子３を内蔵したメインスイッチ４、開閉検知センサ５を備え且つ常時においてはメインスイッチ４を覆って操作できないようにしているメインスイッチカバー６、それらを制御するシステムコントローラ７よりなる。
オペレータがＨＤＤアクセス中に電源オフしようとした場合を例に、電子機器の動作を説明する。通常、メインスイッチカバー６は閉じた状態になっている。オペレータが電源をオフしようとする場合、メインスイッチカバー６を開ける必要がある。オペレータが電源オフするためにメインスイッチカバー６を開けた場合、開閉検知センサ５はメインスイッチカバー６が開けられたことを検知し、システムコントローラ７に開閉検知信号（開放検知信号）を送出する。これによりシステムコントローラ７はメインスイッチカバー６が開けられたことを認識する。
この時、システムがＨＤＤアクセス中の場合、このまま電源をオフされるとＨＤＤ１に重大な問題が発生する可能性があるため、システムコントローラ７はメインスイッチ４に内蔵された振動子３（人間が感知し得る程度の周波数で励振する水晶、その他の圧電振動子）に振動ＯＮ（オン）信号を与え、振動子３を振動させる。それに伴ないメインスイッチ４が振動することで、メインスイッチに触れたオペレータはＨＤＤアクセス中であることに気付く。振動子３はメインスイッチに内蔵される必要は必ずしも無く、メインスイッチ４を振動させ得る構成であればよい。この点は、以下の実施形態においても同様である。
【０００７】
図３は本発明の第２の実施形態に係る電子機器のブロック図である。本電子機器は、ハードディスク装置（ＨＤＤ）１、電源装置２、振動子３を内蔵したタッチセンサ付きメインスイッチ１１、それらを制御するシステムコントローラ７よりなる。
オペレータがＨＤＤアクセス中に電源オフしようとした場合を例に、本電子機器の動作を説明する。オペレータが電源オフしようとする場合、メインスイッチ１１に手が触れる。このメインスイッチ１１はタッチセンサを備えているため、手が触れるとシステムコントローラ７にタッチセンサ信号が送出される。これによりオペレータがメインスイッチ１１に手が触れたとの情報がシステムコントローラ７に伝わる。
この時、システムがＨＤＤアクセス中の場合、このまま電源をオフされるとＨＤＤ１に重大な問題が発生する可能性があるため、システムコントローラ７はメインスイッチ１１に内蔵された振動子３に振動ＯＮ信号を与え、振動子３を振動させる。それに伴ないメインスイッチ１１が振動することでオペレータはＨＤＤアクセス中であることに気付く。
図４は本発明の第３の実施形態に係る電子機器のブロック図である。本電子機器は、ハードディスク装置（ＨＤＤ）１、電源装置２、振動子３内蔵のメインスイッチ４、赤外線センサ２１、それらを制御するシステムコントローラ７よりなる。赤外線センサ２１はメインスイッチ４の近傍に設けられるがメインスイッチ４に内蔵してもよい。
オペレータがＨＤＤアクセス中に電源オフしようとした場合を例に、本電子機器の動作を説明する。オペレータが電源オフしようとする場合、メインスイッチ４に手が近付く。メインスイッチ４の近傍に赤外線センサ２１が配置されているため、手が近付くと赤外線センサが作動してシステムコントローラ７に検知信号を送出する。これによりオペレータがメインスイッチ４に手が近付いたとの情報がシステムコントローラ７に伝わる。
この時、システムがＨＤＤアクセス中の場合、このまま電源をオフされるとＨＤＤ１に重大な問題が発生する可能性があるため、システムコントローラ７はメインスイッチ４に内蔵された振動子３に振動ＯＮ信号を与え、振動子３を振動させる。それに伴ないメインスイッチ４が振動することでオペレータはＨＤＤアクセス中であることに気付く。
【０００８】
図５は本発明の第４の実施形態に係る電子機器のブロック図である。本電子機器は、ハードディスク装置（ＨＤＤ）１、電源装置２、メインスイッチ４、開閉検知センサ５を備えたメインスイッチカバー６、ファンモータ３１、それらを制御するシステムコントローラ７よりなる。
オペレータがＨＤＤアクセス中に電源オフしようとした場合を例に、本電子機器の動作を説明する。通常、メインスイッチカバー６は閉じてメインスイッチ４を操作不能な状態にしている。オペレータが電源をオフしようとする場合、メインスイッチカバー６を開ける必要がある。オペレータが電源オフするためにメインスイッチ６を開けた場合、開閉検知センサ５はメインスイッチカバー６が開けられたことを検知し、システムコントローラ７に開閉検知信号（開放検知信号）を送出する。これによりメインスイッチカバー６が開けられた情報がシステムコントローラ７に伝わる。
この時、システムがＨＤＤアクセス中の場合、このまま電源をオフされるとＨＤＤ１に重大な問題が発生する可能性があるため、システムコントローラ７はファンモータ３１にファンモータ動作ＯＮ信号を与え、ファンモータ３１を動作させる。メインスイッチ４周辺の通気口からのファンの送風によって、オペレータはＨＤＤアクセス中であることに気づく。
図６は本発明の第５の実施形態に係る電子機器のブロック図である。本電子機器は、ハードディスク装置（ＨＤＤ）１、電源装置２、タッチセンサ付きメインスイッチ１１、ファンモータ３１、それらを制御するシステムコントローラ７よりなる。
オペレータがＨＤＤアクセス中に電源オフしようとした場合を例に、本電子機器の動作を説明する。オペレータが電源オフしようとする場合、メインスイッチ１１に手が触れる。このメインスイッチ１１はタッチセンサを備えているため、手が触れるとシステムコントローラ７にタッチセンサ信号を送出する。これによりオペレータがメインスイッチ１１に手が触れたとの情報がシステムコントローラ７に伝わる。
このとき、システムがＨＤＤアクセス中の場合、このまま電源をオフされるとＨＤＤ１に重大な問題が発生する可能性があるため、システムコントローラ７はファンモータ３１にファンモータ動作ＯＮ信号を与え、ファンモータ３１を動作させる。メインスイッチ１１周辺の通気口からのファンの送風によって、オペレータはＨＤＤアクセス中であることに気付く。
【図面の簡単な説明】
【０００９】
【図１】本発明の第１の実施形態に係る電子機器のブロック図。
【図２】図１に示すメインスイッチの構成図。
【図３】本発明の第２の実施形態に係る電子機器のブロック図。
【図４】本発明の第３の実施形態に係る電子機器のブロック図。
【図５】本発明の第４の実施形態に係る電子機器のブロック図。
【図６】本発明の第５の実施形態に係る電子機器のブロック図。
【符号の説明】
【００１０】
１  ハードディスク装置
２  電源装置
３  振動子
４  メインスイッチ
５  開閉センサ
６  メインカバースイッチ
７  システムコントローラ
【図１】
2005092536.tif 000003
【図２】
2005092536.tif 000004
【図３】
2005092536.tif 000005
【図４】
2005092536.tif 000006
【図５】
2005092536.tif 000007
【図６】
2005092536.tif 000008